(57)【要約】【課題】  外光の反射を抑えることで白潰れを防ぐことができるプロジェクタシステムを提供すること。【解決手段】  プロジェクタとして、映像光の点灯及び消灯を所定のタイミングで交互に繰り返しながら映像光を投射する、いわゆる間欠表示型プロジェクタ２を用いており、表示面における消灯時の光反射率が点灯時の光反射率よりも低くなるようにスクリーン３を制御することで、映像光がスクリーン３に表示されない間に当該スクリーン３へ到達する外光の反射のみを抑えることができる。例えば、点灯と消灯とが等間隔で繰り返されるプロジェクタであれば、消灯時の外光の反射を抑えると、外光の反射を半分に抑えることができる。このように外光の反射を抑えることで、白潰れを防ぐことができる。【選択図】  図１
2006091258.tif 000002
【特許請求の範囲】
【請求項１】
映像光の点灯及び消灯を所定のタイミングで交互に繰り返しながら、前記映像光を投射するプロジェクタと、
前記映像光が投射される光反射率を調整可能な投射面を有するスクリーンと、
消灯時における前記投射面の光反射率が、点灯時における前記光反射率よりも低くなるように前記スクリーンを制御する制御手段と
を具備することを特徴とするプロジェクタシステム。
【請求項２】
前記スクリーンが、前記投射面側に、前記投射面の光反射率を可変にする光反射率可変部を有し、
前記制御手段が、前記光反射率可変部を制御する
ことを特徴とする請求項１に記載のプロジェクタシステム。
【請求項３】
前記光反射率可変部は、高分子分散型液晶素子であることを特徴とする請求項２に記載のプロジェクタシステム。
【請求項４】
前記光反射率可変部は、ゲストホスト液晶素子であることを特徴とする請求項２に記載のプロジェクタシステム。
【請求項５】
前記光反射率可変部は、
各々が正又は負の電荷を帯びた光吸収材及び光反射材を保持し、前記光吸収材及び前記光反射材に電界を印加する手段を有するものであることを特徴とする請求項２に記載のプロジェクタシステム。
【請求項６】
プロジェクタとスクリーンとを有するプロジェクタシステムの駆動方法であって、
前記プロジェクタが、映像光の点灯及び消灯を所定のタイミングで交互に繰り返しながら前記映像光を前記スクリーンの投射面に投射し、
消灯時における前記投射面の光反射率が点灯時における前記光反射率よりも低くなるように、前記スクリーンを制御する
ことを特徴とするプロジェクタシステムの駆動方法。
【発明の詳細な説明】
【技術分野】
【０００１】
本発明は、プロジェクタシステムに関する。
【背景技術】
【０００２】
プロジェクタからの映像光をスクリーンに投射する際に、例えばスクリーンのうち映像光の黒色を表示する部分の光反射率を低くし、他の色を表示する部分の光反射率を高くするというように、映像光の輝度に応じてスクリーンの光反射率を部分的に適宜変化させることで、高いコントラストでスクリーンに映像を表示できるようにした技術が開示されている（例えば、特許文献１参照）。  
【特許文献１】特開２００２−３６５７３０号公報
【発明の開示】
【発明が解決しようとする課題】
【０００３】
しかしながら、スクリーンの光反射率を高くしたときには、映像光だけでなく外光の反射光量も大きくなる。このため、映像光に対して外光が明るくなりすぎ、映像が白潰れしてしまうという問題がある。
【０００４】
以上のような事情に鑑み、本発明は、外光の反射を抑えることで白潰れを防ぐことができるプロジェクタシステムを提供することを目的とする。
【課題を解決するための手段】
【０００５】
上記目的を達成するため、本発明の主たる観点に係るプロジェクタシステムは、映像光の点灯及び消灯を所定のタイミングで交互に繰り返しながら、前記映像光を投射するプロジェクタと、前記映像光が投射される投射面を有するスクリーンと、消灯時における前記投射面の光反射率が、点灯時における前記光反射率よりも低くなるように前記スクリーンを制御する制御手段とを具備することを特徴とする。
【０００６】
本発明では、プロジェクタとして、映像光の点灯及び消灯を所定のタイミングで交互に繰り返しながら映像光を投射する、いわゆる間欠表示型プロジェクタを用いている。映像光の消灯時の光反射率が点灯時の光反射率よりも低くなるようにスクリーンを制御することで、映像光がスクリーンに表示されない間に当該スクリーンへ到達する外光の反射のみを抑えることができる。例えば、点灯と消灯とが等間隔で繰り返されるプロジェクタであれば、消灯時の外光の反射をなくすと、外光の反射を半分に抑えることができる。このように外光の反射を抑えることで、白潰れを防ぐことができる。
【０００７】
また、前記スクリーンが、前記投射面側に、前記投射面の光反射率を可変にする光反射率可変部を有し、前記制御手段が、前記光反射率可変部を制御することが好ましい。  
本発明では、投射面に光反射率可変部を設けたので、当該投射面で光反射率を直接的に制御することができる。また、光反射率が可変であるため、例えば映像光の点灯及び消灯のタイミングと同期して光反射率を適宜変化させる等の制御が可能になる。
【０００８】
また、前記光反射率可変部は、高分子分散型液晶素子であることが好ましい。  
高分子分散型液晶素子のセル内には、液晶に加えて高分子が混合して保持されるので、高価な液晶の使用量を抑えつつも液晶素子を大型化することができる。本発明のプロジェクタシステムに係るスクリーンは一般的に大型であるため、大型化に対応することができる高分子分散型液晶素子を用いる意義は大きい。また、高分子分散型液晶素子は、一般的により少ない電力で駆動することができるので、電力コストを抑えることもできる。また、画素単位で光反射率を調節することができるので、例えば外光が入射する位置や方向などに応じて光反射率に分布を設けることができる。
【０００９】
また、前記光反射率可変部は、ゲストホスト液晶素子であることが好ましい。  
ゲストホスト液晶素子は、当該液晶素子のセル内に電圧を印加することでセル内で偏光することができるため、偏光子を１つ設ければ済む。したがって、例えば表示面側には偏光板を設けないようにすることもできる。この場合、映像光が表示面で反射するときに、偏光板により吸収されることが無いので、通常の液晶素子を用いた場合よりもコントラストを向上することができる。また、画素単位で光反射率を調節することができるので、例えば外光が入射する位置や方向などに応じて光反射率に分布を設けることができる。
【００１０】
また、前記光反射率可変部は、正負の電荷を帯びた光吸収材及び光反射材を保持し、前記光吸収材及び前記光反射材に電界を印加する手段を有するものであることが好ましい。  
光吸収材及び光反射材電界を印加することで、この光吸収材と光反射材とをそれぞれ移動させることができる。例えば、一の方向に電界を印加したとき、光吸収材は表示面側に、光反射材は表示面の裏側にそれぞれ移動させ、電界を逆の方向に印加したときには、今度は光吸収材が表示面の裏面側に、光反射材が表示面側にそれぞれ移動させることができる。また、電界の強弱を制御することで、表示面側の光吸収材と光反射材との分布を変化させることができる。より具体的には、映像光の点灯時には光反射材を表示面側に分布させて光反射を多くし、消灯時には光吸収材を表示面側に分布させて光反射を少なくすることができる。これにより、電界を印加する方向及び電界の強弱を制御することで、表示面での光反射率を容易に制御することができる。
【００１１】
本発明の別の観点に係るプロジェクタシステムの駆動方法は、プロジェクタとスクリーンとを有するプロジェクタシステムの駆動方法であって、前記プロジェクタが、映像光の点灯及び消灯を所定のタイミングで交互に繰り返しながら前記映像光を前記スクリーンの投射面に投射し、消灯時における前記投射面の光反射率が点灯時における前記光反射率よりも低くなるように、前記スクリーンを制御することを特徴とする。
【００１２】
本発明では、映像光の点灯及び消灯を所定のタイミングで交互に繰り返しながら映像光をスクリーンに投射するように、すなわち、間欠表示となるようにプロジェクタを駆動する。このとき、映像光の消灯時の光反射率が点灯時の光反射率よりも低くなるようにスクリーンを制御することで、映像光がスクリーンに表示されない間に当該スクリーンへ到達する外光の反射のみを抑えることができる。例えば、点灯と消灯とが等間隔で繰り返されるようにプロジェクタを駆動する場合であれば、消灯時の外光の反射をなくすと、外光の反射を半分に抑えることができる。このように外光の反射を抑えることで、白潰れを防ぐことができる。
【発明を実施するための最良の形態】
【００１３】
本発明の第１実施形態を図面に基づき説明する。  
図１は、本発明に係るプロジェクタシステム１の全体構成を概略的に示す図である。  
プロジェクタシステム１は、プロジェクタ２と、スクリーン３と、制御部４とを主として構成される。ここでは、制御部４がプロジェクタ２とスクリーン３との間に独立して設けられ、プロジェクタ２−制御部４間、スクリーン３−制御部４間が、それぞれケーブル等で接続される。例えば、制御部４をプロジェクタ２側あるいはスクリーン３側に付帯して設けられるようにしても構わない。
【００１４】
図２は、プロジェクタ２の内部の構成を概略的に示す図である。  
プロジェクタ２は、例えばＲ（赤）、Ｇ（緑）、Ｂ（青）の異なる色毎に透過型液晶ライトバルブを備えた３板式の間欠表示型カラー液晶プロジェクタであり、光源７と、フライアイレンズ８、９と、ダイクロイックミラー１０、１１と、反射ミラー１２、１３、１４と、液晶ライトバルブ１５、１６、１７と、クロスダイクロイックプリズム１８と、投射レンズ１９とを有している。なお、プロジェクタ２は、単板式であっても良い。
【００１５】
光源７は、例えば白色光を射出する高圧水銀ランプ等のランプ７ａと、当該ランプ７ａからの光を反射するリフレクタ７ｂとを有する。また、光源７には、ランプ７ａの点灯及び消灯を制御する点灯・消灯コントローラ７ｃが接続される。フライアイレンズ８、９は、光源７からの光の照度分布を均一化するものである。光源７側のフライアイレンズ８は、複数の２次光源像を形成する。スクリーン３側のフライアイレンズ９は、フライアイレンズ８で形成された２次光源像を重畳する。
【００１６】
ダイクロイックミラー１０は、光源７から射出される白色光のうち、赤色光ＬＲを透過させると共に、緑色光ＬＧ及び青色光ＬＢを反射する。ダイクロイックミラー１１は、緑色光ＬＧを反射し、青色光ＬＢを透過する。
【００１７】
液晶ライトバルブ１５、１６、１７は、それぞれ照射された赤色光、緑色光、青色光を所定の画像信号に基づいて変調する。クロスダイクロイックプリズム１８は、４つの直角プリズムが貼り合わされてなる。内面には、赤色光を反射する誘電体多層膜１８ａと青色光を反射する誘電体多層膜１８ｂとが十字状に形成されている。各誘電体多層膜１８ａ、１８ｂによって３つの色光が合成され、カラー画像を表す光（映像光）が形成されるようになっている。投射レンズ１９は、映像光をスクリーン３に向けて投射する。
【００１８】
図３は、スクリーン３の構成を概略的に示す断面図である。  
スクリーン３は、スクリーン基材２１と、反射装置２２とを有しており、反射装置２２の表面２２ａにおいてプロジェクタ２から投射された映像光を表示することができるようになっている。
【００１９】
スクリーン基材２１は、例えばポリ塩化ビニルからなり、Ｘ方向の長さが１．６４ｍ、Ｙ方向の長さが１．２２ｍの矩形の基材である。  
反射装置２２は、スクリーン基材２１の前面（プロジェクタ２側の面）に取り付けられ、スクリーン基材２１とほぼ同じ寸法の高分子分散型液晶素子からなる。この高分子分散型液晶素子の液晶分子の配向を制御することによって、当該高分子分散型液晶素子の散乱状態、即ち、反射光量の調節が行なわれるようになっている。また、高分子分散型液晶素子は、反射型の液晶素子を用いることが好ましい。
【００２０】
図４は、反射装置２２の構成を示す断面図である。  
反射装置２２は、プラスチックフィルム等からなる一対の透光性基材２３、２４（映像光の入射側が透光性基材２４）と、これら透光性基材２３、２４に挟持され液晶分子と高分子とが相分離した状態で分散された高分子分散型の液晶層２５と、透光性基材２３側の表面２３ａに設けられ液晶層２５を透過した光を吸収する光吸収層２６とを有する。また、透光性基材２３、２４の内面側（液晶層２５側）には、それぞれＩＴＯ等の透光性導電膜からなる電極２７、２８が設けられており、更にこれらの電極２７、２８の上に、それぞれ配向膜２９、３０が積層されている。
【００２１】
図５は、液晶層２５の状態を示す図である。  
液晶層２５には、液晶分子２５ａと、互いにネットワーク状に連鎖された高分子分散体２５ｂとが混在されている。同図に示すように、初期配向状態（非選択電圧を印加しているときの配向状態）では、液晶分子２５ａと高分子分散体２５ｂとが、ほぼ一方向に配向されている。
【００２２】
液晶層２５は、例えば初期配向状態では、液晶分子２５ａと高分子分散体２５ｂとが透光性基材２３、２４に略平行になるように配向し（ホモジニアス配向）、選択電圧を印加した状態では、液晶分子２５ａが透光性基材２３、２４に対して略垂直に立った状態となるように配向する（ホメオトロピック配向）ことができる。この場合、液晶分子２５ａには誘電異方性が正のネマチック液晶が用いられ、配向膜２９、３０にはラビング等の水平配向処理が施される。各配向膜２９、３０の配向方向は平行であり、入射映像光の偏光方向と略平行な方向である。
【００２３】
また、初期配向状態でホメオトロピック配向となり、選択電圧を印加した状態でホモジニアス配向となるように配向させてもよい。この場合、上述の液晶分子２５ａとしては誘電異方性が負のネマチック液晶が用いられ、配向膜２９、３０は共に垂直配向膜とされる。なお、配向膜２９、３０には、選択電圧を印加したときに液晶分子２５ａが一方向に配向するため、ラビング等のプレチルト角付与処理が施される。各配向膜２９、３０のプレチルト方向は平行であり、当該プレチルト方向は入射映像光の偏光方向と略平行な方向である。
【００２４】
なお、初期配向状態では、反射装置２２に入射する映像光や外光は液晶層２５で反射・散乱するようになっている。また、図示を省略するが、液晶層２５に選択電圧を印加したときには、映像光や外光が液晶層２５を透過して光吸収層２６に吸収されるようになっている。
【００２５】
この液晶層２５の製法について簡単に説明する。  
まず、液晶中に、上記高分子分散体２５ｂの材料である高分子前駆体を均一に混合させた混合物を作成し、この混合物を透光性基材２３、２４の配向膜２９、３０の間に充填する。高分子前駆体としては、液晶性を有する材料、例えば、液晶性紫外線硬化型モノマー或いはそれらのオリゴマー等を用いることができる。基材間に配置された液晶分子２５ａや高分子前駆体は、配向膜２９、３０の配向に従って一方向に配向される。次に、混合物の充填されたセルに紫外線等を照射し、配向状態を維持させたまま高分子前駆体を重合させ、高分子分散体２５ｂを形成する。このように、液晶分子２５ａと高分子分散体２５ｂの配向が揃った液晶層２５が形成される。
【００２６】
図６は、制御部４の構成を示す図である。  
制御部４は、受信部３１と、制御信号生成部３２と、送信部３３とを有する。  
受信部３１は、点灯・消灯コントローラ７ｃから送出される信号、すなわち、ランプ７ａを点灯及び消灯させる点灯・消灯信号を受信する。制御信号生成部３２は、この点灯・消灯信号に基づいて、反射装置２２の液晶層２５に選択電圧を印加する（光が液晶層２５を透過する）パルス及び液晶層２５に非選択電圧を印加する（光が液晶層２５で反射・散乱する）パルスを生成する。受信した点灯・消灯信号が点灯パルスであるときには非選択電圧を印加するパルス（非選択電圧印加パルス）を生成し、消灯パルスであるときには、選択電圧を印加するパルス（選択電圧印加パルス）を生成する。送信部３３は、制御信号生成部３２で生成された信号を反射装置２２へ送信する。
【００２７】
次に、このように構成されたプロジェクタシステム１の動作を説明する。  
プロジェクタ２を駆動すると、点灯・消灯コントローラ７ｃからランプ７ａに点灯・消灯信号が送出される。この信号に基づいてランプ７ａが点滅し、プロジェクタ２からスクリーン３に映像光が投射される。図７（ａ）は、点灯・消灯コントローラ７ｃからランプ７ａに送出される点灯・消灯信号の波形を概略的に示すグラフである。縦軸は、点灯状態又は消灯状態のいずれにあるかを示しており、横軸は、最初に信号が送出された時刻を基準としたときの経過時間を示している。
【００２８】
図７（ａ）に示すように、山型になっているところは、点灯・消灯信号のうち点灯パルスが送出された期間であり、谷型になっているところは、消灯パルスが送出された期間である。図中、消灯パルスが送出されたこの期間をｔで示している。点灯パルス及び消灯パルスが周期Ｔで繰り返され、この信号に基づき、映像光が点滅してスクリーン３に投射される。すなわち、山型のパルスが送出される期間にはスクリーン３に映像光が投影され、谷型のパルスが送出される期間にはスクリーン３に映像光が投影されない。
【００２９】
一方、点灯・消灯信号は、制御部４の受信部３１でも受信される。図７（ｂ）は、制御信号生成部３２で生成された制御信号の波形を概略的に示したグラフである。縦軸は、選択電圧印加パルスと非選択電圧印加パルスとのどちらのパルスを生成している状態かを示している。横軸は、最初に信号が送出された時刻を基準としたときの経過時間を示しており、図７（ａ）と共通している。
【００３０】
図７（ｂ）に示すように、制御信号生成部３２は、点灯・消灯信号に同期して制御信号を生成している。つまり、受信した点灯・消灯信号が点灯パルスである期間は非選択電圧印加パルスとなるように、消灯パルスの期間は選択電圧印加パルスとなるように信号を生成している。これらが周期Ｔで交互に繰り返されている。同図で山型のパルスは非選択電圧印加パルスが生成された期間であり、谷型のパルスは選択電圧印加パルスが生成された期間である。このように生成された信号は、送信部３３からスクリーン３の反射装置２２へと送信される。なお、点灯・消灯信号が送出されてから、受信部３１で受信され、制御信号が生成されるまでの時差ΔＴ１が生じている。
【００３１】
制御信号は、反射装置２２で受信される。図７（ｃ）は、スクリーン３の表示面２４ａの光反射率を示したグラフである。縦軸は、光反射率の大きさを示している。横軸は、最初に信号が送出された時刻を基準としたときの経過時間を示しており、図７（ａ）及び図７（ｂ）と共通している。
【００３２】
図７（ｃ）に示すように、反射装置２２は、制御部４からの制御信号に同期して電圧の印加・非印加を行っている。つまり、受信した制御信号が選択電圧印加パルスである期間には液晶層２５に選択電圧を印加し、非選択電圧印加パルスである期間には液晶層２５に非選択電圧を印加している。これらが周期Ｔで交互に繰り返されている。山型のパルスが送出される期間は、液晶層２５に非選択電圧を印加し、映像光及び外光が液晶層２５で反射・散乱されるため表示面２４ａでの光反射率が高くなっている期間である。谷型のパルスが送出される期間になっているところは、液晶層２５に選択電圧を印加し、映像光及び外光が当該液晶層２５を透過し、光吸収層２６に吸収されるため表示面２４ａでの光反射率が低くなっている期間である。なお、点灯信号及び消灯信号が送出されてから、制御信号が生成され、光反射率が変化するまでの時差ΔＴ２が生じている。
【００３３】
図７（ａ）と図７（ｃ）とを比較する。時差ΔＴ２が生じているものの、スクリーン３の表示面２４ａに映像光が投影される期間には、当該表示面２４ａの光反射率が大きくなっており、映像光や外光は反射されている。また、スクリーン３の表示面２４ａに映像光が投影されない期間には、当該表示面２４ａの光反射率が小さくなっており、外光のみが吸収されている。
【００３４】
図８は、実際に点灯・消灯信号と同期させて表示面２４ａの光反射率を変化させたときのコントラストを示したグラフである。表示面２４ａの光反射率を変化させない場合と比較してグラフ化している。縦軸は、光反射率を変化させない場合と比較したときのコントラスト向上の度合い（倍）を示している。横軸は、点灯パルス及び消灯パルスからなる周期Ｔのうち、消灯パルスの占める割合（ｔ／Ｔ）を示している。また、外光の強さが１００ルクスの場合の結果を実線で、外光の強さが２００ルクスの場合の結果を破線で、外光の強さが３００ルクスの場合の結果を一点鎖線でそれぞれ示す。
【００３５】
例えば、点灯パルスと消灯パルスとが等しい場合（ｔ／Ｔ＝０．５の場合）、外光の強さが１００ルクスだと、約１．４倍コントラストが向上していることがわかる。また、この場合（ｔ／Ｔ＝０．５の場合）、外光の強さが２００ルクス、３００ルクスになるにつれて、コントラストが約１．６倍、約１．８倍と向上しているのがわかる。
【００３６】
コントラストの向上は、消灯パルスが長くなるにつれて顕著になる。例えば点灯パルスが４割、消灯パルスの割合が６割の場合（ｔ／Ｔ＝０．６の場合）、１００ルクスだと約１．６倍、２００ルクスだと約１．８倍、３００ルクスだと約２．０倍コントラストが向上しているのがわかる。さらに、点灯パルスが２割、消灯パルスの割合が８割の場合（ｔ／Ｔ＝０．８の場合）には、グラフが急激に右上がりになっており、コントラストの向上が一層顕著になっていることがわかる。
【００３７】
このように、本実施形態では、プロジェクタとして、映像光の点灯及び消灯を所定のタイミングで交互に繰り返しながら映像光を投射する、いわゆる間欠表示型プロジェクタ２を用いており、表示面２４ａにおける消灯時の光反射率が点灯時の光反射率よりも低くなるようにスクリーン３を制御することで、映像光がスクリーン３に表示されない間に当該スクリーン３へ到達する外光の反射のみを抑えることができる。例えば、点灯と消灯とが等間隔で繰り返されるプロジェクタであれば、消灯時の外光の反射を抑えると、外光の反射を半分に抑えることができる。このように外光の反射を抑えることで、白潰れを防ぐことができる。
【００３８】
本発明の技術範囲は上記実施形態に限定されるものではなく、本発明の趣旨を逸脱しない範囲で適宜変更を加えることができる。
【００３９】
例えば、上記実施形態では、反射装置２２として高分子分散型液晶素子を採用していたが、ゲストホスト液晶素子を採用した場合でも、本発明の目的を達成することができる。
【００４０】
ゲストホスト液晶素子は、当該液晶素子のセル内に電圧を印加することでセル内で偏光することができるため、偏光子を１つ設ければ済む。したがって、例えば表示面２４ａ側には偏光板を設けないようにすることもできる。この場合、映像光が液晶層２５で反射するときに、偏光板により吸収されることが無いので、反射光を無駄にすることなく、通常の液晶素子を用いた場合よりもコントラストを向上することができる。また、ゲストホスト液晶素子の画素単位で光反射率を調節することができるので、例えば外光が入射する位置や方向などに応じて光反射率に分布を設けることができる。
【００４１】
また、例えば図９（ａ）に示すように、２枚の基板５１、５２が、例えば正負の電荷を帯びた光吸収材５３及び光反射材５４を挟持しており、基板５１、５２の内側に光吸収材５３及び光反射材５４に電界を印加するための電極５５、５６が形成されているような素子であっても良い。光吸収材５３としては、例えば黒トナー等を用いることができ、光反射材５４としては、白色の粒子を用いることができる。
【００４２】
光吸収材５３及び光反射材５４に電界を印加することで、この光吸収材５３と光反射材５４とをそれぞれ移動させることができる。例えば、図９（ｂ）に示すように、一の方向（例えば図９（ｂ）の矢印方向）に電界を印加したときには、光吸収材５３は表示面５１ａ側に、光反射材５４は表示面の裏側にそれぞれ移動させるようにし、図９（ｃ）に示すように、電界を逆の方向（例えば図９（ｃ）の矢印方向）に印加したときには、今度は光吸収材５３が表示面５１ａの裏面側に、光反射材５４が表示面５１ａ側にそれぞれ移動させるようにする。また、図示を省略するが、電界の強弱を制御することで、表示面５１ａ側の光吸収材５３と光反射材５４との分布を変化させることもできる。これにより、電界を印加する方向及び電界の強弱を制御することで、表示面５１ａでの光反射率を容易に制御することができる。
【図面の簡単な説明】
【００４３】
【図１】本発明の第１実施形態に係るプロジェクタシステムの全体構成を示す図である。
【図２】本実施形態に係るプロジェクタの構成を示す図である。
【図３】本実施形態に係るスクリーンの構成を示す図である。
【図４】本実施形態に係る反射装置の構成を示す図である。
【図５】反射装置内の液晶層の様子を示す図である。
【図６】本実施形態に係る制御部の構成を示す図である。
【図７】信号の波形を示す図である。
【図８】コントラストの向上を示す図である。
【図９】本実施形態の変形例を示す図である。
【符号の説明】
【００４４】
１…プロジェクタシステム  ２…プロジェクタ  ３…スクリーン  ４…制御部  ７ｃ…点灯・消灯コントローラ  ２２…反射装置  ２３、２４…透光性基材  ２４ａ…表示面  ２５…液晶層  ２５ａ…液晶分子  ２５ｂ…高分子分散体  ５３…光吸収材  ５４…光反射材  ５５、５６…電極
【図１】
2006091258.tif 000003
【図２】
2006091258.tif 000004
【図３】
2006091258.tif 000005
【図４】
2006091258.tif 000006
【図５】
2006091258.tif 000007
【図６】
2006091258.tif 000008
【図７】
2006091258.tif 000009
【図８】
2006091258.tif 000010
【図９】
2006091258.tif 000011